(57)【要約】【課題】  カーブミラーの中で相対峙する相手が来る方向を、矢印と文字で作られた１枚の表示板で、双方に相手が来る方向を知らしめる情報提供を補助する表示板。【解決手段】  対峙する一方には、映し出している方向を、文字で書いたおもて側を見せるようにし、対峙する他方には、前記表示板のうら側を、カーブミラーを介して見せるようにして、前記表示板のうら側が正表示に見えるように、前記表示板のうら側に表記する文字を逆表示にして表記し、前記文字を、矢印と文字あるいは矢印と抜き文字で構成することで可能となる。【選択図】  図２ 
2005105760.tif 000002
【特許請求の範囲】
【請求項１】
カーブミラー本体と上記カーブミラーに取り付けられた表示板とを具備し、上記表示板のおもて側には任意の表示が正表示されていると共に、上記表示板のうら側には任意の表示が逆表示されており、上記カーブミラーを挟んで、一方の側には上記正表示を見させ、他方の側には上記逆表示を、カーブミラーを介して正表示としてみさせるようにした、前記表示板のうら側に任意の表示を逆表示にして表記したことを特徴とするカーブミラーの情報提供を補助する表示板。
【請求項２】
請求項1記載の表示板であって、任意の表示を矢印（1）とその該矢印の示す方向を補助するための文字（２）で置き換えたことを特徴とするカーブミラーの情報提供を補助する表示板。
【請求項３】
請求項2記載の表示板であって、該文字を抜き文字で置き換えたことを特徴とするカーブミラーの情報提供を補助する表示板。
【発明の詳細な説明】
【技術分野】
【０００１】
この発明は、道路構造物のひとつであるカーブミラーにおいて、道路利用者相互の存在位置を確認するためのカーブミラーの情報提供機能の向上を図る表示板である。
【背景技術】
【０００２】
道路に設置されているカーブミラーが映し出している方向は、道路利用者が道路の状況をみながらカーブミラーの鏡の向きを判断して、道路利用者が判断することを求めている。カーブミラーの設置が普及することにより、道路の交差点には、右側用と左側用に各１箇所ずつに、又は一本の支柱に２個、３個と据付けられている。その為に、カーブミラーの鏡の中に映る逆像と設置された位置が、道路利用者相互の存在する位置の特定をさまたげ、道路利用者がカーブミラーの映し出している方向を瞬時に判断できない。
【０００３】
カーブミラーの情報提供を補助する表示板の多くが、カーブミラーの鏡の下の支柱に取り付けたもので、その目的は注意を喚起すること。又は、カーブミラーの鏡の周囲にカーブミラーの存在を促すことを目的とした装置をつけることであって、カーブミラーに映っている道路利用者相互が右から来るのか、左から来るのかのその存在位置の情報、すなわちカーブミラーの映し出している方向を互いに早く、確実に判断させる方法ではなかった。
【０００４】
例えば特許公開公報「特開２０００−１９２４３０（P2000-192430A）」では、カーブミラーの存在の視認性の向上およびカーブミラーの背景と反射像と誤認混同の防止をはかるもので、カーブミラーに道路利用者が右から来るのか、左から来るのかのその存在位置の情報を互いに早く確実に判断させる方法ではなかった。
【０００５】
又、「実開平５−６４２１１」、「実開昭63−198610」では、道路利用者にカーブミラーの存在の認識とカーブミラーへの注意を喚起するものであり、カーブミラーに道路利用者が右から来るのか、左から来るのかのその存在位置の情報を互いに早く確実に判断させる方法ではなかった。
【発明の開示】
【発明が解決しようとする課題】
【０００６】
課題は、カーブミラーがひとつあるいは複数あるとき、道路利用者が互いの位置を、カーブミラーを通して右から来るのか、左から来るのかのその存在位置の情報を道路利用者が互いに早く確実に判断できるようになることである。
【０００７】
そのために情報提供を補助する表示板を何台も取りつけると、カーブミラーからの情報認識を妨げ、交通の障害にもなるので、情報提供を補助する表示板は１台のカーブミラーに一枚でその効果を道路利用者相互が得る。
【０００８】
これらを解決させるために、カーブミラーの情報提供を補助する表示板を提供することが課題です。
【課題を解決するための手段】
【０００９】
本発明は、カーブミラーの鏡と同じ高さで、カーブミラーの鏡像を妨げない横に、情報提供を補助する表示板を設置することで、道路利用者が、進行方向から、カーブミラーを介して、観察方向の状況を確認するに当たって、鏡像の情報とその情報を補助する表示板からの情報を、視線を移すことなく得ることができる。
【００１０】
その表示板に、進行方向から観察方向を見て、観察エリアが、右なら右、左なら左と文字で方向を表記することで、観察エリアの位置の情報を道路利用者が早く確実に判断できるようになることである。
【００１１】
前記表示板のうら側に、表側の方向をしめす文字が左なら右の文字を、表側の方向をしめす文字が右なら左の文字を、鏡に映し出すとき、正像となるように逆表示して表記する。
【００１２】
この表示板を、図3の観察エリアより進行方向を見る位置において、相対時する進行方向よりの道路利用者を前記表示板のうら側とともにカーブミラーを介して見るとき、正像となった右又は左の相手の来る方向示した文字で存在位置の情報を観察エリアの道路利用者が早く確実に判断できるようになることである。
【００１３】
よって、1枚の表示板の表側に正表示の文字とうら側に逆表示の文字を表記することで1台のカーブミラーに1枚の表示板で進行方向側と観察エリア側にカーブミラーの情報提供を補助することができる。
【００１４】
情報提供を補助する表示板を、方向を示す文字を矢印（1）とし、その矢印の示す方向を理解しやすく補助する文字（２）で作ることで、表示板からの情報の認識を更に得易くさせる。
【００１５】
上記表示板に表記するにあたり、矢印（１）は表側とうら側を反対方向に組み合わせた矢印の一組と上下をかえすことで、うら側に逆表示に表記することを考えることなく右方向と左方向をしめすことができる。矢印（１）を補助する文字（２）は、表側に正表示、うら側に逆表示に表記する。
【００１６】
表示板に矢印（1）と文字（２）で表記する場合において、この文字を抜き文字で作るとき、抜き文字は裏側から見ると、逆表示になっているので、抜き文字の裏側を直接、鏡に映しだすことで、カーブミラーの情報提供を補助する表示板を提供することができる。
【発明の効果】
【００１７】
従来のカーブミラーは、カーブミラーが映し出している方向の判断を道路利用者の判断にゆだねてきた。カーブミラーがひとつの交差点に複数存在することにより、道路利用者相互の位置の判断を妨げている。また、従来のカーブミラーにたいする発明が、カーブミラー本体の存在の注意の喚起、もしくはカーブミラーの曇り止め等の機能の発明であって、道路利用者相互が、道路利用者相互の位置の判断の為の情報提供を補助するものではなかった。
【００１８】
当発明は道路利用者が道路利用者相互のいる方向の判断を、道路の状況をみながらカーブミラーの鏡の向きをみて決める、認識の行動をとることを必要としなくなり、カーブミラーの情報提供を補助する表示板により、迷うことなく瞬時に鏡の中にうつしだされている相手のいる方向を特定できる。
【００１９】
また、カーブミラーの中に逆像と逆像の逆像である正像が共存する新規性で、利用者のカーブミラーへの注意をより一層促すことを可能する。
【発明を実施するための最良の形態】
【００２０】
本発明の情報提供を補助する表示板は、図１の１，２，３，４とで構成されたもので、４，５，６のパイプで構成されたアームで既設のカーブミラーの支柱に取り付けられている。１は図１の１の詳細図のように、１枚の板に、裏表が図ようなの矢印の向きの組み合わせにして作る。上下に固定用の穴を対象に開けて、矢印の向きを変えることができるにしてある。これは、１枚の矢印の絵で、鏡に映る側をふくめて、右方向、左方向に対応させることできるためである。このような１を矢印の向きを考えて、３の取り付け台に固定する。２は字の裏側が、鏡に正像として映るように、図１の２の詳細図のごとく字の裏側から見た逆表示でできたものとする。３と４と２は４の詳細図の構造のように、一体化されたものである。アームを構成する４，５，６は、図１の７の既設ガードレールの支柱に６のパイプを取り付け、６に４と自在ヒンジでつながっている５のパイプを取り付ける。
【００２１】
図２の道路状況にとりつけられたカーブミラーにおいて、情報提供を補助する表示板をカーブミラー対して図２のように配置し、表示板の設置する高さは、カーブミラーに対して図２の「進行方向より観察エリアをみる」の図の高さに設置する。図２のカーブミラーにおける表示板は、「進行方向より観察エリアをみる」で示すように矢印（１）および文字（２）で構成する。
【００２２】
これにより、図２の「進行方向より観察エリアをみる」において、表示板の表側を見ることにより、観察エリア側であって対向車である車両の位置を、鏡の中では正面から来る車両が、右から来る車両と知りえる。
【００２３】
図４の「観察エリアより進行方向を見る」では、情報提供を補助する表示板のうら側を鏡面の中にうつる対向車両とともに見るとき、鏡の中では正面より来る車両の位置を左側にあることを知りえる。
【実施例１】
【００２４】
本発明の実施例１を図３において説明すると、交差点において、A車両から見て、道路の両側にカーブミラーが1基ずつある。カーブミラーが、AとBが確認しあう方向に１基、AとCが確認しあう方向に１基ある。A車両がカーブミラーで確認している車両がB,C２台ある。カーブミラーごとに鏡の向きとその設置されている場所からカーブミラーの映し出している方向を判断するのだが、A車両は、右と左の２つのカーブミラーからの情報を瞬時に判断することを求められ、結果A車両は、右の鏡の中に見出すから、B車両は右から来る、すなわちC車両と誤認する可能性がある。このとき情報提供を補助する表示板があれば、逆像の中の正像の文字とその位置をしめす矢印を見て瞬時に相手が来る方向をみいだすことができる。
【実施例２】
【００２５】
本発明の実施例２を図４において説明すると、交差点において、A車両から見て、ひとつのカーブミラーに鏡が上下に２基ある。上の鏡には、A車両の左の車両Bが映っており、下の鏡にはA車両の右が映っている。このような状況おいて、従来では、A車両は、２基のカーブミラーの映し出している方向をカーブミラーの設置されている位置と鏡の向きを確認して上で、上側の鏡が左を、下側の鏡が右であることを理解し、鏡に映っている相手を確認する。ここでは、ひとつの箇所に、２方向から来るカーブミラーから情報の判断を求められ、そこに情報提供を補助する表示板があれば、逆像の中の正像の文字とその位置をしめす矢印を見て瞬時に相手が来る方向をみいだすことができる。
【産業上の利用可能性】
【００２６】
本発明の活用例として、本発明は道路構造物のひとつであるカーブミラーを対象にしているので堅固な構造を想定しているが、玩具が考えられる。情報提供を補助する表示板の矢印を指先の絵柄にし、文字を「私きます      」「私は        」等、矢印、文字を自由に変えることができる。図１の３と４を蔓や木で作られたように装飾し、小鳥を配置してと、一般家庭の駐車場の前に取り付けられたカーブミラーに取り付ける装飾品として用いることもできる。
【図面の簡単な説明】
【００２７】
【図１】本発明の情報提供を補助する表示板の構造図と詳細図である。
【図２】情報提供を補助する表示板の設置状況の説明と１、２の設置を示す平面図と、表示板がカーブミラーを介して相手の位置を示す側面図である。
【図３】実施例１の情報提供を補助する表示板の設置状況とその効果ある状況を説明するものである
【図４】実施例２の情報提供を補助する表示板の設置状況とその効果ある状況を説明するものである
【符号の説明】
【００２８】
１    矢印を表記した板
２    文字
３    矢印の板を固定する台で文字と４のアームと一体化している
４    １，２，３、できたものを吊り下げるアーム
５    自在ヒンジで４とつながるアーム
６    ５のアームを吊り下げ、７の既設ポールに固定するアーム
７    既設カーブミラーの支柱であるポール
【図１】
2005105760.tif 000003
【図２】
2005105760.tif 000004
【図３】
2005105760.tif 000005
【図４】
2005105760.tif 000006